(57)【要約】近年、Ｄ級オーディオ増幅器の使用がますます広まってきている。一般的に使用されているＡＢ級線形増幅器とは対照的に、Ｄ級は効率を改善することができる。しかし、Ｄ級の動作原理は、歪特性が劣ることで知られている。本発明によれば、入力信号を電力信号に変換するデジタル増幅器が提供される。本発明によるデジタル増幅器は、デジタル増幅器のブリッジ回路に供給される電源電圧の電圧リップルを入力信号に基づいて補償する電源リップル事前補償回路を備える。これにより、デジタル増幅器の出力信号内の歪みの大部分を引き起こすことが分かっている、ブリッジに供給される電源電圧の電源リップルが、補償されることができる。
2006522528.tif 000002
【特許請求の範囲】
【請求項１】
入力信号を電力出力に変換するデジタル増幅器であって、
少なくとも１対のスイッチを有するブリッジ回路と、
前記ブリッジ回路に供給される電源電圧の電圧リップルを補償する電源リップル事前補償回路と、を備え、
前記電源リップル事前補償回路が、前記入力信号に基づいて前記電源電圧の前記電圧リップルを補償する、デジタル増幅器。
【請求項２】
前記入力信号は音声信号であり、
前記音声信号はフィルタによってフィルタリングされ、
前記フィルタ済み音声信号、したがって前記音声信号の周波数成分の一部だけが、前記電源電圧のリップルを事前補償するためにフィード・フォワードされる、
請求項１に記載のデジタル増幅器。
【請求項３】
前記電源リップル事前補償回路がデジタル制御装置およびアナログ制御回路の１つであり、デジタル増幅器がＤ級増幅器である、請求項１に記載のデジタル増幅器。
【請求項４】
複数の入力信号を複数の電力出力に変換するデジタル増幅器システムであって、
それぞれが少なくとも１対のスイッチを含む複数のブリッジ回路と、
前記複数のブリッジ回路に供給される電源電圧の電圧リップルを補償する電源リップル事前補償回路と、を備え、
前記電源リップル事前補償回路が、前記複数の入力信号の少なくとも１つの入力信号に基づいて前記電源電圧の前記電圧リップルを補償する、デジタル増幅器システム。
【請求項５】
合成回路をさらに備え、
前記複数の入力信号は１つの音声信号のチャネルであり、
前記合成回路は、前記複数の入力信号を前記電源リップル事前補償回路に印加される１つの信号に合成する、
請求項４に記載のデジタル増幅器システム。
【請求項６】
前記合成回路は、２乗回路と加算器とを含み、
前記複数の入力信号は、前記２乗回路によって個別に２乗され、次いで、前記複数の入力信号を前記電源リップル事前補償回路に印加される前記１つの信号に合成する前記加算器によって合計される、
請求項５に記載のデジタル増幅器システム。
【請求項７】
電源とＤ級増幅器との間に接続される補償回路であって、
前記Ｄ級増幅器は、入力信号を電力出力に変換し、
前記Ｄ級増幅器は、少なくとも１対のスイッチを含み、
前記補償回路は、
前記電源によって生成され前記少なくとも１対のスイッチに供給される電源電圧の電圧リップルを補償する電源リップル事前補償回路を備え、
前記電源リップル事前補償回路は、前記入力信号に基づいて前記電源電圧の前記電圧リップルを補償する、
補償回路。
【請求項８】
前記入力信号は音声信号であり、
前記音声信号はフィルタによってフィルタリングされ、
前記フィルタ済み音声信号、したがって前記音声信号の周波数成分の一部だけが、前記電源電圧のリップルを事前補償するためにフィード・フォワードされ、
前記電源リップル事前回路は、デジタル制御装置とアナログ制御回路のうちの１つである、
請求項７に記載の補償回路。
【請求項９】
入力信号を電力出力に変換するＤ級増幅器を動作させる方法であって、
前記Ｄ級増幅器はブリッジ回路を含み、
前記ブリッジ回路に供給される電源電圧の電圧リップルを前記入力信号に基づいて事前補償するステップを備える、
方法。
【請求項１０】
前記入力信号は、フィルタによってフィルタリングされ、
前記フィルタ済み入力信号、したがって前記入力信号の周波数成分の一部だけが、前記電源電圧のリップルを事前補償するためにフィード・フォワードされる、
請求項９に記載の方法。
【請求項１１】
音声信号の複数のチャネルを個別に２乗するステップと、
前記入力信号を形成するために前記音声信号の前記個別に２乗されたチャネルを合計するステップと、
前記複数の異なるチャネルに対応する複数のデジタル増幅器の複数のブリッジ回路に前記事前補償電源電圧を供給し、それによって、前記複数のデジタル増幅器の前記複数のブリッジ回路の前記電源電圧の電圧リップルの事前補償を行うステップと、
をさらに備える、請求項９に記載の方法。
【請求項１２】
サブウーハ・チャネル音声信号を２乗するステップと、
前記事前補償用入力信号として前記２乗されたサブウーハ・チャネル音声信号を使用するステップと、
前記複数の異なるチャネルに対応する複数のデジタル増幅器の複数のブリッジ回路に前記事前補償電源電圧を供給し、それによって、前記複数のデジタル増幅器の前記複数のブリッジ回路の前記電源電圧の電圧リップルの事前補償を行うステップと、
をさらに備える、請求項９に記載の方法。
【発明の詳細な説明】
【技術分野】
【０００１】
本発明は、デジタル信号を電力出力に直接変換するデジタル増幅器の分野に関する。詳細には、本発明は、入力信号を電力出力に変換するデジタル増幅器と、複数の入力信号を複数の電力出力に変換するデジタル増幅器システムと、電源とＤ級増幅器との間に接続される補償回路と、およびＤ級増幅器を動作させる方法とに関する。
【背景技術】
【０００２】
いくつかのタイプの電力増幅器の出力段が開発されてきた。好都合なことに、それらは、たとえば、Ａ級増幅器、Ｂ級増幅器、およびＣ級増幅器と称されていた。最近になって、Ｄ級増幅器が登場した。Ａ級、Ｂ級、ＡＢ級、およびＤ級は、低周波の音響設計では一般的であり、サーボモータ駆動装置やＲＦ増幅など、他の分野でもいくつかの用途がある。Ｃ級、Ｅ級、およびＦ級タイプは、通常、ＲＦ用途にしか使用されない。
【０００３】
近年、特にＤ級増幅器は、広く使用されているＡＢ級線形増幅技術とは対照的に、劇的に改善された効率性により、ますます普及が進んでいる。Ｄ級増幅器については、カーステン・ニールセン（Ｃａｒｓｔｅｎ  Ｎｉｅｌｓｅｎ）の「Ｈｉｇｈ  Ｆｉｄｅｌｉｔｙ  ＰＷＭ  ｂａｓｅｄ  Ａｍｐｌｉｆｉｅｒ  Ｃｏｎｃｅｐｔ  ｆｏｒ  Ａｃｔｉｖｅ  Ｓｐｅａｋｅｒ  Ｓｙｓｔｅｍｓ  ｗｉｔｈ  ａ  ｖｅｒｙ  ｌｏｗ  Ｅｎｅｒｇｙ  Ｃｏｎｓｕｍｐｔｉｏｎ」（第１００回ＡＥＳコンベンション、コペンハーゲン、１９９６年５月、前刷り４２５９）に全般的に記述されており、この文献は参照により本明細書に組み込まれたものとする。
【０００４】
Ｄ級増幅器の進展は、増幅器の効率を向上させようとする努力の表れである。スイッチング・レギュレータに対するスキームと同様に、Ｄ級増幅器は、音声信号情報が変調信号のパルス幅の変化となるように、音声入力信号をより高い周波数の方形波でパルス幅変調する。この変調信号は、一般にＨブリッジと呼ばれる１組のハーフ・ブリッジ・スイッチに供給され、各Ｈブリッジは２つの電力ＭＯＳＦＥＴからなる。Ａ級またはＢ級構成とは異なり、増幅器の負荷すなわちスピーカは、出力部からグランドにではなく、ブリッジの脚の間に設置される。この構成により、この増幅器は、バイポーラ電源を必要とすることなく、あるいは出力部にＤＣオフセットを導入することなく、２０Ｈｚという低さの低周波信号を再生することが可能になる。
【０００５】
Ｄ級オーディオ増幅器は、ますます普及しているにもかかわらず、歪特性が劣ることで知られている。変調出力にフィルタをかけて高周波信号を除去し、増幅された入力信号を回復させようとする試みが行われた。２極バターワース・フィルタ、２極チェビシェフ・フィルタ、２極ベッセル・フィルタなどのフィルタ構成が知られているが、それらのどれからも満足のいく結果は得られず、かなりの労力およびコストをまねいた。
【発明の開示】
【発明が解決しようとする課題】
【０００６】
本発明の一目的は、デジタル増幅器における歪みを防止することである。
【課題を解決するための手段】
【０００７】
本明細書に使用される「デジタル増幅器」という語は、電力出力に直接変換する増幅器に適用される。
【０００８】
本発明の例示的な実施形態によれば、上記目的は、少なくとも１対のスイッチを有するブリッジ回路と電源リップル事前補償回路（ｓｕｐｐｌｙ  ｒｉｐｐｌｅ  ｐｒｅ−ｃｏｍｐｅｎｓａｔｉｏｎ  ｃｉｒｃｕｉｔ）とを備えた、入力信号を電力出力に変換するデジタル増幅器で解決されることができる。この電源リップル事前補償回路は、ブリッジ回路に供給される電源電圧の電圧リップルを補償するように構成されている。本発明の一側面によれば、この電源リップル事前補償回路は、入力信号に基づいて電源電圧の電圧リップルを補償する。
【０００９】
本発明の一側面によれば、デジタル増幅器の歪みのかなりの部分は、デジタル増幅器の電源電圧のリップルによってもたらされることが明らかになっている。この点に関連して、本出願に関して、「リップル」という語が、１００Ｈｚのリップルなどだけに限定されず、たとえばオーディオ増幅器の出力信号の２０ｋＨｚ帯域内での、外乱、望ましくない波形、およびリップルを指すことが留意されなければならない。また、「補償」という語は、抑制または均等化を含む。特にＤ級増幅器の場合、フィード・フォワードＤ級増幅器における重要な歪源の１つが、負荷電流の変化による電圧降下によって引き起こされる、フル・ブリッジにおける電源電圧リップルであることが明らかになっている。たとえばＡＢ級増幅器など、フィードバックを有する増幅器は、本質的に優れた電源リップル除去性能をもつ。しかし、そのような従来のＡ−ＡＤ級増幅技術は、フィードバックのないフルデジタル・オーディオ増幅器に適用されることはできない。
【００１０】
有利には、本発明によるデジタル増幅器は、フィードバックのないフルデジタル・オーディオ増幅器に適用されることができ、電源リップル効果による全高調波歪量が確実に改善されるようになる。
【００１１】
有利には、入力信号に基づく電源リップル事前補償により、その必要が入力信号によって規定されることを条件として、入力は、必要とされるちょうどその時に、ブリッジ回路負荷に供給されることができる。有利には、これは、最小リップルのクリーンな電源電圧を確保するだけでなく、既知の解決策に比べて電源のエネルギー貯蔵が低減され得ることをも意味する。
【００１２】
請求項２に記載の本発明の例示的な一実施形態によれば、このデジタル増幅器は、音声信号である入力信号をフィルタリングするフィルタを含む。本発明のこの例示的な実施形態によれば、電源電圧のリップルを事前補償するために、音声信号の周波数成分の一部だけがフィード・フォワードされる。こうした帯域幅が限定されたフィード・フォワード信号の注入は、大部分の音声信号成分が信号の低周波領域にあるという前提に基づいている。したがって、音声信号成分の主要部および最重要部分がフィード・フォワードされることを保証しながら、音声信号は、性能を損なうことなく電源制御装置を簡単なものにするために、予め低域フィルタリングされることができる。
【００１３】
請求項３に記載の本発明の他の例示的な実施形態によれば、電源リップル事前補償回路は、デジタル制御装置とアナログ制御回路のうちの１つであり、デジタル増幅器は、リップルの非常に効果的な補償を可能にし、したがって、クリーンで平静な出力信号を可能にするＤ級増幅器である。
【００１４】
請求項４に記載の本発明の他の例示的な実施形態によれば、複数の入力信号を複数の電力出力に変換するデジタル増幅器システムが提供される。本発明のこの例示的な実施形態によれば、上述のリップル事前補償方式は、複数チャネル用途において２チャネル以上（たとえば、ステレオ増幅器の左側および右側）に適用される。本発明のこの例示的な実施形態は、低周波成分が全てのチャネルに共通するという前提に基づいている。したがって、これらのチャネルのうちただ１つのチャネルに低域フィルタをかけ、この１つのチャネルの低域フィルタ済み信号を全ての増幅済みチャネルの事前補償に用いることにより、満足のいく結果が得られることができる。
【００１５】
請求項５および６に記載の本発明の別の例示的な実施形態によれば、複数の出力チャネルに対して電源リップル事前補償を行うために、１つの音声信号の異なるチャネルなど、複数の入力信号が、個別に２乗され、次いで合計され、事前補償回路に入力される。最初に２乗され、次いで合計された信号は、電源から取り出される全エネルギーを表し、したがって、上述の事前補償に使用されることができる。
【００１６】
請求項７および８に記載の本発明の別の実施形態は、電源とＤ級増幅器との間に接続され、上述の事前補償を適用する、補償回路を提供するものであり、この電源リップル事前補償回路は、入力信号に基づいて電源電圧の電圧リップルを補償する。有利には、この補償回路は、既存の回路構成に使用されることができ、クリーンな電源電圧をＤ級増幅器のブリッジに供給することを可能にする。
【００１７】
請求項９、１０および１１は、入力信号を、歪みが低減されたＤ級増幅器の動作を可能にする電力出力に変換する、Ｄ級増幅器を動作させる方法を提供する。
【００１８】
デジタル増幅器に対する電源電圧のリップルが、入力信号内の情報に基づいて補償されることが、本発明の例示的な一実施形態の要旨と考えられる。音声信号の場合、音声信号の成分は、デジタル増幅器の負荷要求に相当し、すなわちこの負荷需要を規定する。このことは、リップルが最小のクリーンな電源電圧を保証するだけでなく、電源のエネルギー貯蔵が有利に低減され得ることをも意味する。
【００１９】
本発明のこれらおよびその他の側面は明らかであり、以下に記載の実施形態を参照し、以下の図面を参照して説明する。
【発明を実施するための最良の形態】
【００２０】
以下に、本発明による例示的な実施形態について、図を参照しながら説明する。図１、３、および４に示すデジタル増幅器は、一般にＨブリッジと呼ばれるフル・ブリッジを有するＤ級増幅器である。本発明は、Ｄ級増幅器の例示的な実施形態に関して説明されるが、本発明が、Ｄ級増幅器に限定されるものではなく、電源電圧のリップルまたは望ましくない外乱が増幅器の出力信号の歪みなどの問題を引き起こす、どんな種類のデジタル増幅器にも適用できることは、当業者には明らかである。
【００２１】
図１は、音声信号などの入力信号を電力出力に変換する、本発明によるデジタル増幅器の第１の例示的な実施形態の簡略化された概略ブロック図を示す。図１内の参照番号２は、音声信号を変調器４に出力する音声ソースを示す。変調器４は、変調器４の出力部における信号出力が変調信号のパルス幅の変化として音声信号情報を含むように、より高い周波数の方形波で音声信号をパルス幅変調する。この変調信号は、一般にＨブリッジと呼ばれる１組のハーフ・ブリッジ・スイッチ６に供給される。一般に、各Ｈブリッジは２つの電力ＭＯＳＦＥＴからなる。ブリッジ６の出力は、この信号をフィルタリングするためにフィルタに供給され、その後に出力信号がスピーカ１０に印加される。Ａ級またはＢ級構成とは異なり、増幅器の負荷すなわちスピーカ１０は、出力部からグランドに至るブリッジ６の脚の間に接続される。本発明はまた、Ｄ級ハーフ・ブリッジ構成で実施されてもよいことに留意されたい。本発明がＤ級ハーフ・ブリッジ構成に適用される場合、スピーカは、直列コンデンサによって半電源（ｈａｌｆ  ｓｕｐｐｌｙ）に接続される。
【００２２】
参照番号１２は、入力部が音声ソース２の出力部に接続され、出力部が電源１４に接続されている、電源リップル事前補償回路を示す。電源１４は、電源電圧を電源ポート１６経由でブリッジ６のスイッチに供給する。図１において「事前補償」として参照される電源リップル事前補償回路１２は、電源１４から電源ポート１６経由でブリッジ６に供給される電源電圧の電圧リップルを抑制または補償するように構成されている。本発明の例示的な実施形態による電源リップル事前補償回路は、ＤＳＰコントローラなどのデジタル制御装置とアナログ制御回路のうちの１つでよい。
【００２３】
図２は、図１、３および４に示すデジタル増幅器またはデジタル増幅器システムに使用できる、本発明の例示的な実施形態による電源リップル事前補償回路の簡略回路図を示す。図２において、参照番号２０および２２は、ＭＯＳＦＥＴによって実現される、Ｄ級増幅器のフル・ブリッジのスイッチを示す。
【００２４】
図２に示した回路は、本発明による電源リップル事前補償に音声信号注入法（ａｕｄｉｏ  ｓｉｇｎａｌ  ｉｎｊｅｃｔｉｏｎ）を用いたバック・コンバータである。示してある回路は、ＤＳＰなどのデジタル回路によって実現されることができる。
【００２５】
図２には示されていない電源が、この回路に電圧ＶＯを供給する。スイッチ２０のソースおよびスイッチ２２のドレインはインダクタ（ｉｎｄｕｃｔｉｖｉｔｙ）２４に接続され、このインダクタは電源出力電圧ＶＯに接続されている。電源の電源出力電圧ＶＯとスイッチ２２のソースとの間にはコンデンサ２６が設けられている。電源出力電圧ＶＯは、Ａ／Ｄコンバータ２８によりデジタル・ドメインに変換され、誤差増幅器３０に出力される。誤差増幅器３０は、デジタル化された電源出力電圧ＶＯを基準電圧Ｖｒｅｆと比較し、誤差信号Ｖｅを出力する。本発明の一側面によれば、誤差増幅器３０は、差動増幅器によって実現されることができる。
【００２６】
デジタル音声信号Ｖａｕｄｉｏは、乗算ユニット３２で２乗され、注入信号Ｖｉｎｊとして出力される。注入信号Ｖｉｎｊは、加算器によって実現される加算ユニット３４に供給される。加算ユニット３４により、注入信号Ｖｉｎｊは誤差信号Ｖｅと重畳される。加算ユニット３４の出力、すなわち加算信号Ｖｃは、比較器３６によりのこぎり波信号Ｖｓと比較され、それによって、ドライバ３８および４０を経由してスイッチ２０および２２のゲートに供給されるＰＷＭ信号が生成される。このＰＷＭ信号は、バック・コンバータのスイッチ２０および２２を駆動する。音声信号の２乗は、増幅器のスイッチ２０および２２によって取り出される負荷電流ｉｄの基本的な成分であるので、上記回路により、非常にクリーンな電源電圧がスイッチ２０および２２に供給されることができる。
【００２７】
本発明の一側面によれば、電源リップル事前補償回路１２、変調器４、フル・ブリッジ６、および／またはフィルタ８は、１つのモジュールまたは集積回路内に組み込まれる。
【００２８】
図３は、本発明によるデジタル増幅器システム８０の第１の例示的な実施形態を示す。図３に示したデジタル増幅器システム８０は、複数チャネルの応用例であり、複数のデジタル増幅器の複数のブリッジ回路６６および７４に供給される電源電圧の電圧リップルを補償するために、電源リップル事前補償回路６０が１つだけ使用されている。図３では、音声ソース５０は、デジタル音声のチャネルを分離するチャネル・デバイダにデジタル信号を出力する。図３に示した例示的な実施形態では、チャネルが２つだけ示してある。しかし、本発明は、３つ以上のチャネルを用いた構成に適用されることもできる。したがって、たとえば、音声信号の左チャネルは、図３に示す増幅器システム８０の上側分岐部に供給され、右チャネルは、増幅器システム８０の下側分岐部に供給される。音声信号のそれらの個々のチャネルが、増幅器システム８０の入力信号である。左チャネルは、乗算器５４によって２乗され、加算ユニット５８に供給される。また、右チャネルも、乗算器５６によって２乗され、加算ユニット５８に供給される。加算ユニット５８は、２乗された右チャネルを２乗された左チャネルに加算し、この加算信号を電源リップル事前補償回路６０に供給する。既に上述したように、電源リップル事前補償回路６０は、図２に示した電源リップル事前補償回路と同じ構成でもよい。電源リップル事前補償回路６０は、電源６２が図３に示すデジタル増幅器の上側分岐部および下側分岐部のフル・ブリッジ６６および７４にクリーンな電源電圧を供給するように、電源６２を制御する。フル・ブリッジ６６および７４は、変調器６４および７２によってパルス幅変調された右チャネルおよび左チャネルを、フィルタ６８および７６を経由してスピーカ７０および７８に供給される電力出力に変換する。
【００２９】
本発明のこの例示的な実施形態によれば、複数の入力信号（音声信号のチャネル）が合成され、複数の増幅器段（増幅器システム８０の上側分岐部および下側分岐部）の電源リップル事前補償に使用される。加算ユニット５８から電源リップル前段補償回路６０に供給される加算信号が、電源から取り出される全エネルギーを表す。したがって、スピーカ７０および７８へのほとんど歪みのない出力信号を可能にする、非常に速いジャスト・イン・タイムの補償が実現されることができる。
【００３０】
図４は、複数の入力信号、すなわち音声信号の個々のチャネルを、スピーカ７０および７８に供給される複数の電力出力に変換する、本発明によるデジタル増幅器システム８２の第２の例示的実施形態の簡略化された概略図を示す。図４では、図３と同じ参照番号が、同じ要素または対応する要素を示すのに使用されている。図３と同様に、図４にも２つのチャネルしか示されていない。しかし、本発明は、３つ以上のチャネルを用いたシステムに適用されることもできる。図３に示した実施形態とは異なり、１つだけのチャネル、すなわち音声信号の左右チャネルのうち右チャネルだけが、電源リップル事前補償回路６０に入力される。詳細には、チャネル・デバイダ５２によって出力される音声信号の右チャネルが、低域フィルタ８０によって低域フィルタリングされ、このフィルタの出力信号が、入力信号として２乗デバイス（ｓｑｕａｒｉｎｇ  ｄｅｖｉｃｅ）８４に供給される。２乗デバイス８４は、エネルギー必要量を推定するために設けられている。２乗デバイス８４は、本発明の一側面によれば、低域フィルタ８０と電源リップル事前補償回路６０との間に設けられる代わりに、低域フィルタ８０の前、すなわちチャネル・デバイダ５２と低域フィルタ８０との間に設けられることもできる。本発明のこの例示的な実施形態は、音声信号成分の大部分が音声信号の低周波領域にあることを有利に利用している。したがって、フィード・フォワードされる、すなわち電源リップル事前補償回路６０に入力される音声信号は、性能を損なうことなく電源制御装置を簡単なものにするために、有利には低域フィルタ８０によって予め低域フィルタリングされることができる。
【００３１】
図４の右チャネルが電源リップル事前補償回路６０用の入力として使用されているが、左チャネル、すなわち音声信号の複数チャネルの他のチャネルもこの事前補償用の入力信号として使用されることができることに留意されなければならない。本発明のこの例示的な実施形態は、サラウンド・サウンド・システムに有利に使用されることができる。こうした応用例では、音声信号のサブウーハ・チャネルが、分岐され、低域フィルタリングされ、２乗され、次いで電源リップル事前補償回路による事前補償に使用されるチャネルであることが好ましい。本発明のこの側面により、サブウーハ・チャネルは最高エネルギーを有する周波数部分を伝送するので、非常に優れた事前補償が可能となり、したがって非常にクリーンな出力信号が可能になる。
【００３２】
さらに、本発明のこの例示的な実施形態は、音声信号の低周波成分が全てのチャネルに共通していることを利用している。したがって、本発明によれば、全ての増幅チャネルの事前補償用に１つの低域フィルタ・チャネルを使用するだけで十分である。本発明によれば、これにより増幅器の外形寸法の縮小およびコスト低減が可能となり有利である。既に上述したように、図３および４に示した要素は、音声ソース５０および／またはフィルタ６８、７６およびスピーカ７０、７８を除く、１つの集積回路ＩＣまたはモジュールに組み込まれることができる。
【図面の簡単な説明】
【００３３】
【図１】本発明によるデジタル増幅器の第１の例示的な実施形態の概略図である。
【図２】図１、３および４に示すデジタル増幅器に使用されることができる、本発明による補償回路の例示的な実施形態の簡略回路図である。
【図３】本発明によるデジタル増幅器システムの第１の例示的な実施形態の概略図である。
【図４】本発明によるデジタル増幅器システムの第２の例示的な実施形態の概略図である。
【図１】
2006522528.tif 000003
【図２】
2006522528.tif 000004
【図３】
2006522528.tif 000005
【図４】
2006522528.tif 000006
【国際調査報告】
2006522528.tif 000007
2006522528.tif 000008